(57)【要約】【課題】印刷機のドラムを洗浄布により洗浄する印刷機のドラム洗浄装置において、ドラム洗浄装置の重量を軽減して取扱いを容易にするとともに、洗浄布の交換作業を容易にして作業能率を向上させる。【解決手段】ドラム洗浄装置21は、印刷機10のブランケット胴11，12に対して進退可能な洗浄ユニット本体25に、洗浄布22の第１の面22aをブランケット胴11に接触させて洗浄する第１の洗浄ヘッド27と、第１の洗浄ヘッド27を経て反転した洗浄布22の第２の面22bをブランケット胴12に接触させて洗浄する第２の洗浄ヘッド29とを取付ける。第２の洗浄ヘッド29は、洗浄ユニット本体25に対して移動可能かつカセット式に着脱可能に設けたものであり、洗浄布22をブランケット胴12に接触させてこのブランケット胴12を洗浄する洗浄位置と、洗浄布22より離反する退避位置との間で移動可能に設ける。【選択図】図１
2011183611.tif 000002
【特許請求の範囲】
【請求項１】
洗浄布を用いて印刷機のドラムを洗浄する印刷機のドラム洗浄装置であって、
前記ドラムに対して進退可能に設けられた洗浄ユニット本体と、
前記洗浄布を前記ドラムに接触させてこのドラムを洗浄する洗浄位置と、前記洗浄布より離反する退避位置との間で、前記洗浄ユニット本体に対し移動可能に設けられた洗浄ヘッドと
を具備したことを特徴とする印刷機のドラム洗浄装置。
【請求項２】
前記洗浄ヘッドは、前記洗浄ユニット本体における前記洗浄布を前記ドラムに接触させてこのドラムを洗浄する洗浄位置に対して、カセット式に着脱可能に設けられた
ことを特徴とする請求項１記載の印刷機のドラム洗浄装置。
【請求項３】
前記洗浄布は、印刷機の第１のドラムおよび第２のドラムを同時に洗浄するものであり、
前記洗浄ユニット本体は、前記第１のドラムおよび前記第２のドラムに対して進退可能に設けられ、
前記洗浄ヘッドは、
前記洗浄布の第１の面を前記第１のドラムに接触させて洗浄する第１の洗浄ヘッドと、
前記第１の洗浄ヘッドを経て反転された前記洗浄布の第２の面を前記第２のドラムに接触させて洗浄する第２の洗浄ヘッドとを備え、
前記第１の洗浄ヘッドおよび前記第２の洗浄ヘッドの少なくとも一方は、
前記洗浄布を前記印刷機の対応するドラムに接触させてこのドラムを洗浄する洗浄位置と、前記洗浄布より離反する退避位置との間で、前記洗浄ユニット本体に対し移動可能に設けられた
ことを特徴とする請求項１記載の印刷機のドラム洗浄装置。
【請求項４】
前記洗浄布は、印刷機の第１のドラムおよび第２のドラムを同時に洗浄するものであり、
前記洗浄ユニット本体は、前記第１のドラムおよび前記第２のドラムに対して進退可能に設けられ、
前記洗浄ヘッドは、
前記洗浄布の第１の面を前記第１のドラムに接触させて洗浄する第１の洗浄ヘッドと、
前記第１の洗浄ヘッドを経て反転された前記洗浄布の第２の面を前記第２のドラムに接触させて洗浄する第２の洗浄ヘッドとを備え、
前記第１の洗浄ヘッドおよび前記第２の洗浄ヘッドの少なくとも一方は、
前記洗浄ユニット本体における前記洗浄布を前記印刷機の対応するドラムに接触させてこのドラムを洗浄する洗浄位置に対して、カセット式に着脱可能に設けられた
ことを特徴とする請求項１または３記載の印刷機のドラム洗浄装置。
【請求項５】
洗浄布を用いて印刷機のドラムを洗浄する印刷機のドラム洗浄装置であって、
前記ドラムに対して進退可能に設けられた洗浄ユニット本体と、
前記洗浄ユニット本体における前記洗浄布を前記ドラムに接触させてこのドラムを洗浄する洗浄位置に対してカセット式に着脱可能に設けられた洗浄ヘッドと
を具備したことを特徴とする印刷機のドラム洗浄装置。
【発明の詳細な説明】
【技術分野】
【０００１】
本発明は、洗浄布を用いて印刷機のドラムを洗浄する印刷機のドラム洗浄装置に関する。
【背景技術】
【０００２】
従来、印刷機のドラム洗浄装置は、印刷機のブランケット胴や圧胴などのドラムの周面に対して洗浄液や水などの液体を含浸させた洗浄布を接触させ、これらドラムと洗浄布との相対的な移動により、ドラムのインクや紙粉などの汚れを取除いている。
【０００３】
ドラム洗浄装置としては、１台で１つのドラムを洗浄できるようにしたものの他に、１台で上下に隣接して配置されている２つのドラムを同時に洗浄できるようにしたものがある。このドラム洗浄装置では、供給ロールから供給する洗浄布の一面を一方のドラムに接触させて洗浄し、この一方のドラムとの接触部分を通過した洗浄布の同じ一面を他方のドラムに接触させて洗浄し、この他方のドラムとの接触部分を通過した洗浄布を巻取ロールに巻き取っている（例えば、特許文献１参照。）。
【先行技術文献】
【特許文献】
【０００４】
【特許文献１】特公平４−５３７０５号公報（第４−５頁、第４図）
【発明の概要】
【発明が解決しようとする課題】
【０００５】
この従来のドラム洗浄装置では、洗浄布の同じ面で２つのドラムを清掃しており、つまり、一方のドラムとの接触で汚れの付着した洗浄布の一面が、他方のドラムに接触して洗浄するため、他方のドラムの汚れを十分に洗浄することができない問題がある。
【０００６】
これに対して、上下に隣接して配置されている印刷機の２つのドラムを洗浄布の異なる面で同時に洗浄できるように洗浄布を掛け回したドラム洗浄装置も考えられるが、そのようなドラム洗浄装置では、洗浄布の掛け回し経路が複雑になり、印刷機上での洗浄布の交換作業が容易でなく、その作業能率を悪くすることが予想される。
【０００７】
さらに、１台で上下に隣接して配置されている２つのドラムを同時に洗浄できるようにしているので、１台で１つのドラムを洗浄できるものより重量があり、このドラム洗浄装置を印刷機から取外すなどの取扱い作業が容易でなく、メンテナンスなどの作業能率を悪くしている問題がある。
【０００８】
本発明は、このような点に鑑みなされたもので、印刷機のドラムを洗浄布により洗浄する印刷機のドラム洗浄装置において、洗浄布の交換作業を容易にして作業能率を向上させ、また、そのドラム洗浄装置の重量を軽減して取扱いを容易にし作業能率を向上させることを目的とする。
【課題を解決するための手段】
【０００９】
請求項１記載の印刷機のドラム洗浄装置は、洗浄布を用いて印刷機のドラムを洗浄する印刷機のドラム洗浄装置であって、前記ドラムに対して進退可能に設けられた洗浄ユニット本体と、前記洗浄布を前記ドラムに接触させてこのドラムを洗浄する洗浄位置と、前記洗浄布より離反する退避位置との間で、前記洗浄ユニット本体に対し移動可能に設けられた洗浄ヘッドとを具備したものである。
【００１０】
請求項２記載の印刷機のドラム洗浄装置は、請求項１記載の印刷機のドラム洗浄装置における前記洗浄ヘッドが、前記洗浄ユニット本体における前記洗浄布を前記ドラムに接触させてこのドラムを洗浄する洗浄位置に対して、カセット式に着脱可能に設けられたものである。
【００１１】
請求項３記載の印刷機のドラム洗浄装置は、請求項１記載の印刷機のドラム洗浄装置における前記洗浄布が、印刷機の第１のドラムおよび第２のドラムを同時に洗浄するものであり、前記洗浄ユニット本体は、前記第１のドラムおよび前記第２のドラムに対して進退可能に設けられ、前記洗浄ヘッドは、前記洗浄布の第１の面を前記第１のドラムに接触させて洗浄する第１の洗浄ヘッドと、前記第１の洗浄ヘッドを経て反転された前記洗浄布の第２の面を前記第２のドラムに接触させて洗浄する第２の洗浄ヘッドとを備え、前記第１の洗浄ヘッドおよび前記第２の洗浄ヘッドの少なくとも一方は、前記洗浄布を前記印刷機の対応するドラムに接触させてこのドラムを洗浄する洗浄位置と、前記洗浄布より離反する退避位置との間で、前記洗浄ユニット本体に対し移動可能に設けられたものである。
【００１２】
請求項４記載の印刷機のドラム洗浄装置は、請求項１または３記載の印刷機のドラム洗浄装置における前記洗浄布が、印刷機の第１のドラムおよび第２のドラムを同時に洗浄するものであり、前記洗浄ユニット本体は、前記第１のドラムおよび前記第２のドラムに対して進退可能に設けられ、前記洗浄ヘッドは、前記洗浄布の第１の面を前記第１のドラムに接触させて洗浄する第１の洗浄ヘッドと、前記第１の洗浄ヘッドを経て反転された前記洗浄布の第２の面を前記第２のドラムに接触させて洗浄する第２の洗浄ヘッドとを備え、前記第１の洗浄ヘッドおよび前記第２の洗浄ヘッドの少なくとも一方は、前記洗浄ユニット本体における前記洗浄布を前記印刷機の対応するドラムに接触させてこのドラムを洗浄する洗浄位置に対して、カセット式に着脱可能に設けられたものである。
【００１３】
請求項５記載の印刷機のドラム洗浄装置は、洗浄布を用いて印刷機のドラムを洗浄する印刷機のドラム洗浄装置であって、前記ドラムに対して進退可能に設けられた洗浄ユニット本体と、前記洗浄ユニット本体における前記洗浄布を前記ドラムに接触させてこのドラムを洗浄する洗浄位置に対してカセット式に着脱可能に設けられた洗浄ヘッドとを具備したものである。
【発明の効果】
【００１４】
請求項１記載の印刷機のドラム洗浄装置によれば、洗浄ヘッドを洗浄ユニット本体に対し移動可能に設けて、洗浄布を印刷機のドラムに接触させる洗浄位置から、洗浄布より離反する退避位置へと逃がすことにより、印刷機上での洗浄布の交換作業が容易になり、その洗浄布交換作業の作業能率を向上できる。
【００１５】
請求項２記載の印刷機のドラム洗浄装置によれば、請求項１記載の印刷機のドラム洗浄装置の効果に加えて、洗浄ユニット本体の洗浄位置に対してカセット式に着脱可能に設けられた洗浄ヘッドを洗浄ユニット本体から外すことにより、ドラム洗浄装置の重量を軽減でき、このドラム洗浄装置の取扱い作業が容易になり、メンテナンスなどの作業能率を向上できる。
【００１６】
請求項３記載の印刷機のドラム洗浄装置によれば、第１の洗浄ヘッドでは洗浄布の第１の面で第１のドラムを洗浄し、第２の洗浄ヘッドでは第１のドラムに接触されなかった洗浄布の第２の面が第２のドラムに接触するように、洗浄布の第１の面と第２の面とを反転させるので、従来のように一方のドラムとの接触で汚れの付着した洗浄布の面と同じ面で他方のドラムを洗浄するようなことがなく、２つのドラムをそれぞれ洗浄布の汚れの付着していない各面で確実に洗浄できるとともに、第１の洗浄ヘッドおよび第２の洗浄ヘッドの少なくとも一方を洗浄ユニット本体に対し移動可能に設けて、洗浄布を印刷機の対応するドラムに接触させる洗浄位置から、洗浄布より離反する退避位置へと逃がすことにより、印刷機上での洗浄布の交換作業が容易になり、その洗浄布交換作業の作業能率を向上できる。
【００１７】
請求項４記載の印刷機のドラム洗浄装置によれば、第１の洗浄ヘッドでは洗浄布の第１の面で第１のドラムを洗浄し、第２の洗浄ヘッドでは第１のドラムに接触されなかった洗浄布の第２の面が第２のドラムに接触するように、洗浄布の第１の面と第２の面とを反転させるので、従来のように一方のドラムとの接触で汚れの付着した洗浄布の面と同じ面で他方のドラムを洗浄するようなことがなく、２つのドラムをそれぞれ洗浄布の汚れの付着していない各面で確実に洗浄できるとともに、洗浄ユニット本体の洗浄位置に対してカセット式に着脱可能に設けられた第１の洗浄ヘッドおよび第２の洗浄ヘッドの少なくとも一方を洗浄ユニット本体から外すことにより、ドラム洗浄装置の重量を軽減でき、このドラム洗浄装置の取扱い作業が容易になり、メンテナンスなどの作業能率を向上できる。
【００１８】
請求項５記載の印刷機のドラム洗浄装置によれば、洗浄ユニット本体における洗浄位置に対して洗浄ヘッドをカセット式に着脱可能に設けたので、この洗浄ヘッドを洗浄ユニット本体から外すことにより、ドラム洗浄装置の重量を軽減でき、このドラム洗浄装置の取扱い作業が容易になり、メンテナンスなどの作業能率を向上できる。
【図面の簡単な説明】
【００１９】
【図１】本発明に係る印刷機のドラム洗浄装置の一実施の形態を示す断面図である。
【図２】同上洗浄装置の洗浄布交換時の動作を示す作用説明図であり、（ａ）は洗浄布を装着する前の状態を示し、（ｂ）は洗浄布を装着した直後の状態を示し、（ｃ）は洗浄布によるドラム洗浄時の状態を示す。
【図３】同上洗浄装置の側面図を示し、（ａ）はドラム洗浄時の状態を示し、（ｂ）は印刷時の状態を示す。
【図４】同上洗浄装置の洗浄布を交換するときの状態を示す側面図である。
【発明を実施するための形態】
【００２０】
以下、本発明を、図１乃至図４に示された一実施の形態に基いて詳細に説明する。
【００２１】
図１に示されるように、印刷機10は、第１のドラムとしての第１のブランケット胴11と、および第２のドラムとしての第２のブランケット胴12とを備え、これらブランケット胴11，12が上下に隣接して配置されている。
【００２２】
これら印刷機10のブランケット胴11，12に対向する外側位置に、これらブランケット胴11，12を同時に洗浄するための１台のドラム洗浄装置21が配置されている。
【００２３】
このドラム洗浄装置21は、洗浄布22を用いて２つのブランケット胴11，12を同時に洗浄するもので、洗浄布22は、例えば、ブランケット胴11，12の軸方向長さ寸法に対応した幅寸法を有する帯状の不織布であり、主面である一面の第１の面22aおよび他面である第２の面22bを有し、ロール状に巻回された洗浄布ロール23としてドラム洗浄装置21に配置されている。この洗浄布22には、例えば洗浄液や水などの液体が予め含浸されている。
【００２４】
ドラム洗浄装置21は、洗浄布22を装着する洗浄ユニット本体25を備え、この洗浄ユニット本体25は、印刷機10のブランケット胴11，12に対して接離する方向すなわち図１の水平方向に移動可能に印刷機10のフレーム10fによって支持されている。さらに、この印刷機10のフレーム10fに対して洗浄ユニット本体25が取外し可能に設けられている。
【００２５】
洗浄ユニット本体25の本体プレート25a内には、洗浄布ロール23が配置されて洗浄布22を供給する洗浄布供給部26、この洗浄布供給部26から供給される洗浄布22の第１の面22aを第１のブランケット胴11に接触させて洗浄する第１の洗浄ヘッド27、この第１の洗浄ヘッド27を経て反転された洗浄布22の第２の面22bを第２のブランケット胴12に接触させて洗浄する第２の洗浄ヘッド29、およびこの第２の洗浄ヘッド29を通過した洗浄布22を巻き取る洗浄布巻取部30を備えている。
【００２６】
この洗浄ユニット本体25では、上側に配置されている第１のブランケット胴11に対応して、第１の洗浄ヘッド27がほぼ上向きに配置され、下側に配置されている第２のブランケット胴12に対応して第２の洗浄ヘッド29がほぼ下向きに配置され、そして、相互に反対向きに位置する第１の洗浄ヘッド27と第２の洗浄ヘッド29とに洗浄布22をＳ字状またはＺ字状に掛け回すことで、洗浄布22の第１の面22aと第２の面22bとを反転させる。
【００２７】
第２の洗浄ヘッド29は、図１に示されるように第２のブランケット胴12に対して進退可能に設けられ、図２に示されるように洗浄布22を第２のブランケット胴12に接触させてこのブランケット胴12を洗浄する洗浄位置（図２ｃ位置）と、洗浄布22より離反する退避位置（図２ｂ位置）との間で洗浄ユニット本体25に対し図示されないガイドレールによって移動可能に設けられ、またこの図示されないガイドレールから取外すことができるようにすることで洗浄ユニット本体25に対して着脱可能に設けられている。
【００２８】
洗浄布供給部26は、洗浄布ロール23が配置される受台32を備えている。この受台32は、受皿状に形成され、第１の洗浄ヘッド27への洗浄布22の引き出しに伴う洗浄布ロール23の回動を許容するとともに、洗浄布ロール23から染み出した洗浄液を貯留することができる。そして、この受台32の洗浄布ロール23から引き出される洗浄布22は、第１の面22aが第１のブランケット胴11に接触するように第１の洗浄ヘッド27の上側へ導かれる。
【００２９】
また、第１の洗浄ヘッド27は、洗浄布22の第２の面22bが接触する圧着パッド34、この圧着パッド34を支持した圧着パッド支持部35、圧着パッド34から引き出される洗浄布22をガイドするガイド部36を備え、圧着パッド34により洗浄布22の第１の面22aを第１のブランケット胴11に押圧接触させる。圧着パッド支持部35の一側部には、圧着パット34に導かれる洗浄布22の第１の面22aに洗浄液や水などの液体を供給する第１の給液部37が設けられ、圧着パッド支持部35の他側部には、圧着パッド34から引き出される洗浄布22の第２の面22bに洗浄液や水などの液体を供給する第２の給液部38が設けられている。これらの給液部37，38は、スプレーノズルなどで構成され、図示しない給液装置から供給される液体を洗浄布22の第１の面22aおよび第２の面22bの全面に供給する。
【００３０】
また、第２の洗浄ヘッド29は、洗浄布22の第１の面22aが摺動可能に接触する圧着パッド41と、この圧着パッド41を支持した圧着パッド支持部42と、圧着パット41に導かれる洗浄布22および圧着パッド41から引き出される洗浄布22をそれぞれガイドするガイド部43とを一体化して、洗浄ユニット本体25に対し移動可能かつカセット式に着脱可能に設けたものであり、圧着パッド41により洗浄布22の第２の面22bを第２のブランケット胴12に押圧接触させる。
【００３１】
そして、第１の洗浄ヘッド27と第２の洗浄ヘッド29とに洗浄布22をＳ字状またはＺ字状に掛け回すことで、第１のブランケット胴11に洗浄布22の第１の面22aを接触させるとともに、第２のブランケット胴12に洗浄布22の第２の面22bを接触させるように、洗浄布22の第１の面22aと第２の面22bとを反転させる。
【００３２】
図３に示されるように、両面印刷に用いられる印刷機10は、上段に第１のドラムとしての第１のブランケット胴11が印刷対象物Ｐの経路を挟んで左右部に配置され、下段に第２のドラムとしての第２のブランケット胴12が印刷対象物Ｐの経路を挟んで左右部に配置され、これらの第１のブランケット胴11および第２のブランケット胴12に対応して、左右部にドラム洗浄装置21がそれぞれ配置され、左右部の第１の洗浄ヘッド27が第１のブランケット胴11に対抗して設置され、左右部の第２の洗浄ヘッド29が第２のブランケット胴12に対向して設置されている。
【００３３】
図３および図４に示されるように、洗浄布巻取部30は、第２の洗浄ヘッド29を通過した洗浄布22を巻き取る巻取軸45、この巻取軸45を巻取方向に回動させる駆動機構46を備えている。
【００３４】
この駆動機構46は、洗浄ユニット本体25の本体プレート25aの外側に設けられ、例えば、シリンダ47を用い、このシリンダ47の直線運動を回転運動に変換し、この回転運動を逆止爪機構などを用いて巻取軸45の巻取方向へのみ巻取軸45に伝達し、巻取軸45を巻取方向に回転させるように構成されている。巻取軸45より上側に位置する本体プレート25aは凹形に切り欠き形成され、ここにカッタ挿入溝48が設けられている。
【００３５】
図４に示されるように、図示されないガイドレールを用いてドラム洗浄装置21が洗浄布を交換する位置まで移動可能に設けられ、この洗浄布交換位置には洗浄布切断装置51が設けられている。
【００３６】
この洗浄布切断装置51は、紙面に対して直交する方向に配設された所定位置のガイドレール52に沿って、洗浄布切断ユニット53が自走可能に設けられ、この洗浄布切断ユニット53は回転駆動される回転カッタ54を備えている。
【００３７】
次に、図示されたドラム洗浄装置21の作用効果を説明する。
【００３８】
図２（ａ）は、第２の洗浄ヘッド29を洗浄ユニット本体25から分離した洗浄ヘッド取外状態を示し、このようにすることで洗浄ユニット本体25の軽量化を図り、トラブルなどに対処する作業性を向上させる。
【００３９】
図２（ｂ）は、ドラム洗浄装置21の準備段階での洗浄布装着時の状態を示し、洗浄布ロール23を受台32に配置し、洗浄布ロール23から引き出した洗浄布22の一端側を第１の給液部37を経て、第１の洗浄ヘッド27に掛け回してから、巻取軸45に装着する。このとき、第２の洗浄ヘッド29は、洗浄布22より離反する退避位置（図２ｂ位置）にあるため、洗浄布22の掛回し作業を容易に行なえる。なお、洗浄布ロール23には予め例えば洗浄液や水などの液体が含浸されている。
【００４０】
それから、第２の洗浄ヘッド29を洗浄ユニット本体25に対し図２（ｃ）に示される位置まで移動させて、洗浄布22を印刷機10の対応する第２のブランケット胴12に接触させてこのブランケット胴12を洗浄可能とするとともに、洗浄布22を第２の給液部38に接触させて洗浄布22への給液を可能とする。
【００４１】
これらの図２（ａ）、（ｂ）および（ｃ）は、印刷機10内に装備したガイドレール上で行なうものとする。
【００４２】
図３（ａ）に示されるように、ドラム洗浄装置21による洗浄動作時には、洗浄ユニット本体25をブランケット胴11，12に接近移動させ、第１の洗浄ヘッド27で洗浄布22の第１の面22aを第１のブランケット胴11の押圧接触させるとともに、第２の洗浄ヘッド29で洗浄布22の第２の面22bを第２のブランケット胴12の押圧接触させる。このとき、ブランケット胴11，12はそれぞれ回転しており、ブランケット胴11，12と洗浄布22の各面22a，22bとの相対的な移動によって、ブランケット胴11，12の汚れを例えば洗浄液や水などの液体が含浸されている洗浄布22の各面22a，22bで取除いてブランケット胴11，12を洗浄する。
【００４３】
さらに、洗浄布巻取部30で洗浄布22を巻取り、洗浄布22の各面22a，22bの使用済み部分を各洗浄ヘッド27，29から排出させるとともに未使用部分を各洗浄ヘッド27，29に供給し、ブランケット胴11，12を確実に洗浄する。
【００４４】
そして、このドラム洗浄装置21では、第１の洗浄ヘッド27では洗浄布22の第１の面22aで第１のブランケット胴11を洗浄し、第２の洗浄ヘッド29では第１のブランケット胴11に接触されなかった洗浄布22の第２の面22bが第２のブランケット胴12に接触するように、洗浄布22の第１の面22aと第２の面22bとを反転させる。
【００４５】
そのため、従来のように一方のドラムとの接触で汚れの付着した洗浄布の面と同じ面で他方のドラムを洗浄するようなことがなく、２つのブランケット胴11，12をそれぞれ洗浄布22の汚れの付着していない各面22a，22bで洗浄でき、２つのブランケット胴11，12とも汚れを確実に洗浄できる。
【００４６】
また、第１の洗浄ヘッド27を通過した洗浄布22の第２の面22bが第２のブランケット胴12に接触するように洗浄布22を反転させるため、ドラム洗浄装置21をコンパクトに構成できる。
【００４７】
図３（ａ）に示されたドラム洗浄時の状態に対して、図３（ｂ）は印刷時の状態を示し、この印刷時は、ドラム洗浄装置21をブランケット胴11，12から後退させることで、洗浄布22の第１の面22aおよび第２の面22bをブランケット胴11，12から離反させる。
【００４８】
さらに、ドラム洗浄装置21の洗浄布を交換するときは、図４に示された洗浄布交換位置までドラム洗浄装置21を印刷機10の図示しないガイドレールに沿って引き出す。この洗浄布交換位置には洗浄布切断装置51が設置されている。
【００４９】
この洗浄布切断装置51は、ドラム洗浄装置21の引出方向とは直交する方向のガイドレール52に沿って洗浄布切断ユニット53を移動させながら回転カッタ54を駆動するものであり、この回転カッタ54をカッタ挿入溝48から本体プレート25a内に挿入し、洗浄布巻取部30を切り裂きながら巻取軸45上を移動させることで、洗浄布巻取部30を切り開いて巻取軸45から取外すことができる。
【００５０】
このように、第２の洗浄ヘッド29は、洗浄ユニット本体25に対してカセット式に着脱可能に設けられたものであるので、この第２の洗浄ヘッド29を洗浄ユニット本体25から外すことにより、ドラム洗浄装置21の重量を軽減でき、このドラム洗浄装置21を印刷機10から取外すなどの取扱い作業が容易になり、メンテナンスなどの作業能率を向上できる。
【００５１】
また、第２の洗浄ヘッド29を洗浄ユニット本体25に対し移動可能に設けて、洗浄布22を印刷機10の対応する第２のブランケット胴12に接触させてこのブランケット胴12を洗浄する洗浄位置（図２ｃ位置）から、洗浄布22より離反する退避位置（図２ｂ位置）へと逃がすことにより、印刷機10上での洗浄布22の交換作業が容易になり、その洗浄布交換作業の作業能率を向上できる。
【００５２】
次に、図示されない他の実施の形態を説明する。
【００５３】
例えば、図１において、洗浄布巻取部30の位置と洗浄布供給部26の位置とを逆とし、洗浄布22を逆方向に移動させるようにしてもよい。この場合は、第１の洗浄ヘッドと第２の洗浄ヘッドとの位置関係が逆になり、第１の洗浄ヘッドが洗浄ユニット本体25に対し移動可能または着脱可能に設けられるが、同様の作用効果が得られる。
【００５４】
さらに、第１の洗浄ヘッド27および第２の洗浄ヘッド29の両方を、洗浄布22をブランケット胴11，12に接触させてこれらのブランケット胴11，12を洗浄するそれぞれの洗浄位置と、洗浄布22より離反するそれぞれの退避位置との間で、洗浄ユニット本体25に対し移動可能に設けるとともに、洗浄ユニット本体25に対してカセット式に着脱可能に設けるようにしてもよい。
【００５５】
例えば、第１の洗浄ヘッド27は、図１に示された洗浄位置と、洗浄ユニット本体25の下方へ移動して洗浄布22より離反する退避位置との間で、洗浄ユニット本体25に対し移動可能に設けるとともに、洗浄ユニット本体25に対してカセット式に着脱可能に設けるとよい。
【００５６】
このようにした場合は、第１の洗浄ヘッド27および第２の洗浄ヘッド29の少なくとも一方を洗浄位置から退避位置へと逃がすことにより、印刷機10上での洗浄布22の交換作業が容易になり、その洗浄布交換作業の作業能率を向上できるとともに、第１の洗浄ヘッド27および第２の洗浄ヘッド29の少なくとも一方を洗浄ユニット本体25から外すことにより、ドラム洗浄装置21の重量を軽減できるので、このドラム洗浄装置21を印刷機10から取外すなどの取扱い作業が容易になり、メンテナンスなどの作業能率を向上できる。
【００５７】
また、２つの第１のドラムと第２のドラムとしては、２つともブランケット胴11，12の場合に限らず、ブランケット胴と圧胴の場合などでもよい。
【００５８】
さらに、図示された実施の形態は、洗浄布22の第１の面22aを第１のブランケット胴11に接触させて洗浄する第１の洗浄ヘッド27と、第１の洗浄ヘッド27を経て反転された洗浄布22の第２の面22bを第２のブランケット胴12に接触させて洗浄する第２の洗浄ヘッド29とを備えたものであるが、本発明は、洗浄布22の片面のみを第１および第２の洗浄ヘッド27，29の少なくとも一方を用いて印刷機のドラムに接触させるドラム洗浄装置にも適用できる。
【００５９】
すなわち、洗浄布22の片面のみを印刷機のブランケット胴11，12に接触させてこれらのブランケット胴11，12を洗浄する洗浄位置と、洗浄布22より離反する退避位置との間で、洗浄ユニット本体25に対し第１および第２の洗浄ヘッド27，29の少なくとも一方を移動可能に設けるようにしてもよいし、洗浄ユニット本体25における前記洗浄位置に対して第１および第２の洗浄ヘッド27，29の少なくとも一方をカセット式に着脱可能に設けるようにしてもよい。
【００６０】
例えば、特許文献１に記載されたドラム洗浄装置のように洗浄布の片面を２つの洗浄ヘッドで印刷機の２つのドラムに接触させてこれらのドラムを洗浄するドラム洗浄装置において、印刷機のドラムを洗浄する洗浄位置と、洗浄布より離反する退避位置との間で、洗浄ユニット本体に対し２つの洗浄ヘッドのうちの少なくとも一方を移動可能に設けるようにしてもよいし、または、洗浄ユニット本体における前記洗浄位置に対して２つの洗浄ヘッドのうちの少なくとも一方をカセット式に着脱可能に設けるようにしてもよい。
【産業上の利用可能性】
【００６１】
本発明は、印刷機のドラム洗浄装置の製造などに関わる産業に利用できる。
【符号の説明】
【００６２】
10    印刷機
11    第１のドラムとしての第１のブランケット胴
12    第２のドラムとしての第２のブランケット胴
21    ドラム洗浄装置
22    洗浄布
22a   第１の面
22b   第２の面
25    洗浄ユニット本体
27    第１の洗浄ヘッド
29    第２の洗浄ヘッド
【図１】
2011183611.tif 000003
【図２】
2011183611.tif 000004
【図３】
2011183611.tif 000005
【図４】
2011183611.tif 000006